(57)【要約】【課題】  建物の外壁にアクセントを付け易く、外壁の装飾性を図ると共に、付け柱風の各種の突状体の取り付けに対応でき、かつ、更なる施工の簡易化を図った装飾柱の取り付け構造を提供する。【解決手段】  本発明に係る装飾柱の取り付け構造は、中空体の装飾柱３と装着壁面１に一対の目地部材２、２が介在する。各目地部材２は横断面が四角形の筒体で、装飾柱３の背面の両側平面部に夫々当着し、当着した各目地部材２の外方となる一側面６が目地部材本体５へ着脱自在に嵌装され、目地部材６の内空部から取付用ネジ１３、１４を用いて装飾柱３及び装着壁面１に螺着する。【選択図】  図１
0003141587.tif 000002
【実用新案登録請求の範囲】
【請求項１】
中空体の装飾柱と装着壁面に一対の目地部材が介在し、各目地部材は横断面が四角形の筒体で、装飾柱の背面の両側部に夫々当着し、当着した各目地部材の外方となる一側面が目地部材本体へ着脱自在に嵌装され、目地部材の内空部から取付用ネジを用いて装飾柱及び装着壁面に螺着したことを特徴とする装飾柱の取り付け構造。
【請求項２】
目地部材の外方となる一側面が装飾柱の外側面と面一となって、目地部材に着脱自在に嵌装されることを特徴とする請求項１記載の装飾柱の取り付け構造。
【請求項３】
取付用ネジが装着壁面に対し斜傾して螺着したことを特徴とする請求項１又は２記載の装飾柱の取り付け構造。
【請求項４】
中空体の装飾柱と装着壁面に一対の接続部材及び一対の目地部材が介在し、各接続部材は装飾柱取付用ネジを用いて装飾柱の背面の両側部に夫々螺着し、各目地部材は断面が四角形の筒体で、目地部材の内空部から装着壁面取付用ネジを用いて装着壁面に所定間隔を置いて夫々螺着し、さらに各接続部材は連結用ネジを用いて各目地部材に螺着したことにより、装飾柱を装着壁面に取り付けたことを特徴とする装飾柱の取り付け構造。
【請求項５】
接続部材は、横断面が略L字状の板材であり、一方の平板部は装飾柱の背面と目地部材の装飾柱の背面に対向する面とに挟まれた位置にあり装飾柱取付用ネジを用いて装飾柱の背面に螺着し、他方の平板部は目地部材の外方となる一側面の外側の位置にあり連結用ネジを用いて目地部材の外方となる一側面に螺着したことを特徴とする請求項４記載の装飾柱の取り付け構造。
【請求項６】
接続部材の他方の平板部の外側面が装飾柱の外側面と面一となっていることを特徴とする請求項５記載の装飾柱の取り付け構造。
【請求項７】
接続部材は、目地部材に向って突出するリブが形成されていることを特徴とする請求項５乃至６のいずれか記載の装飾柱の取り付け構造。
【考案の詳細な説明】
【技術分野】
【０００１】
本考案は、主に家屋の外壁に設けられる装飾柱の取り付け構造に係り、建物の外壁に付け柱風の装飾を施す際に好適に利用されるものである。
【背景技術】
【０００２】
一般に、家屋の外壁に付け柱を施す構成としては、壁面に芯材を当着してコ字条の外装材を嵌合して固定するもの（特開２０００−７３５５４）や、裏面の要所にダボ穴をあけた付け柱を用意し、側面に溝が刻設された調整用窓枠の縦枠材を、溝を室内側に向けて内装壁材の厚み分だけ室内側に出っ張るように柱に取り付け、上記付け柱と調整用窓の縦枠材を、逆目付きのダボで固定するとともに、内装壁材と付け柱とを接着剤により接着した（特開平１１−１００９８３）等がある。
【考案の開示】
【考案が解決しようとする課題】
【０００３】
本考案は、上記のような先行技術に比し、建物の外壁にアクセントを付け易く、外壁の装飾性を図ると共に、付け柱風の各種の突状体の取り付けに対応でき、かつ、更なる施工の簡易化を図った装飾柱の取り付け構造を提供せんとするものである。
【課題を解決するための手段】
【０００４】
本考案に係る装飾柱の取り付け構造は、中空体の装飾柱と装着壁面に一対の目地部材が介在し、各目地部材は横断面が四角形の筒体で、装飾柱の背面の両側部に夫々当着し、当着した各目地部材の外方となる一側面が目地部材本体へ着脱自在に嵌装され、目地部材の内空部から取付用ネジを用いて装飾柱及び装着壁面に螺着したことを特徴とするものである。
【０００５】
目地部材の外方となる一側面が装飾柱の外側面と面一となって、目地部材に着脱自在に嵌装されるようにし、また、取付用ネジが壁面に対し斜傾して螺着してもよい。
【０００６】
また、本考案に係る装飾柱の取り付け構造は、中空体の装飾柱と装着壁面に一対の接続部材及び一対の目地部材が介在し、各接続部材は装飾柱取付用ネジを用いて装飾柱の背面の両側部に夫々螺着し、各目地部材は断面が四角形の筒体で、目地部材の内空部から装着壁面取付用ネジを用いて装着壁面に所定間隔を置いて夫々螺着し、さらに各接続部材は連結用ネジを用いて各目地部材に螺着したことにより、装飾柱を装着壁面に取り付けたことを特徴とするものである。
【０００７】
接続部材は、横断面が略L字状の板材であり、一方の平板部は目地部材の装飾柱の背面と対向する面に当接し装飾柱取付用ネジを用いて装飾柱の背面に螺着し、他方の平板部は目地部材の外方となる一側面に当接し連結用ネジを用いて目地部材の外方となる一側面に螺着てもよい。
【０００８】
接続部材の他方の平板部の外側面が装飾柱の外側面と面一となっていてもよく、接続部材は目地部材に向って突出するリブが形成されていてもよい。
【考案の効果】
【０００９】
請求項１の考案は、目地部材が装飾柱と装着壁面とに介在して連結するものであるため装飾柱のデザインを自由に選択できる効果が得られ、目地部材の外方となる側面片を外してこの開口し、目地部材の内空部から取付用ネジを用いて装飾柱を装着壁面へ簡易に装着固定できる効果を有する。
【００１０】
また、装飾柱に当着した各目地部材の外方となる一側面が目地部材本体へ着脱自在に嵌装されているから、取り付け時には当該一側面を外して開口して目地部材の内空部から容易に取付用ネジの操作が出来、取り付け後は一側面を嵌装して閉鎖し、取付用ネジが看取されないようして外観を美麗にすると共に、目地部材の内空部へゴミや雨水の浸入や取付用ネジの腐食を防止する効果を発揮するのである。
【００１１】
装飾柱は中空体であるから一体に成形できるものであり、目地部材も筒体を構成しているから、共に形態的に安定して強靭であり、外気の環境に適応し耐久性に優れた形態となる効果を期待できるものである。
そして、一対の目地部材が装飾柱の背面の両側平面部に当着した結合であるから、目地部材を介在させて外壁面に取り付けても強固な結合力を得られるものとなる。
【００１２】
目地部材の外側面片が装飾柱の一側面板と面一となっていれば、体裁上好ましく、隙間が形成されないためゴミ等の汚れの付着発生を防止し、清掃作業も容易となる効果を有する。
更に、取付用ネジが壁面に対し斜傾して螺着することで、目地部材と装着壁面との固定がより強固となり、一対の目地部材が装飾柱の両側部に当着した結合と相俟って、全体でも充分な結合力が得られるものとなる。
【００１３】
請求項４の考案は、接続部材及び目地部材が装飾柱と装着壁面とに介在して連結するものであるため装飾柱のデザインを自由に選択できる効果が得られ、接続部材は装飾柱取付用ネジを用いて装飾柱に螺着し、目地部材は装着壁面取付用ネジを用いて装着壁面に螺着し、さらに接続部材は連結用ネジを用いて目地部材に螺着したことにより、装飾柱を装着壁面へ簡易に装着固定できる効果を有する。
【００１４】
また、接続部材の他方の平板部は目地部材の外方となる一側面の外側に位置するように重なっているので、接続部材を目地部材に螺着する際に、接続部材の他方の平板部の外側面から連結ネジを螺入することができる。したがって、装飾柱を装着壁面へ簡易に装着固定できる効果を有する。
【００１５】
接続部材の他方の平板部の外側面が装飾柱の一側面板と面一となっていれば、体裁上好ましく、隙間が形成されないためゴミ等の汚れの付着発生を防止し、清掃作業も容易となる効果を有する。
【００１６】
接続部材は目地部材に向って突出するリブが形成されていれば、一方の平板部と目地部材との間に装飾柱取付用ネジの頭を収容する空間を設けることができる。さらに、リブが形成されていれば、他方の平板部に付勢力が発生し、他方の平板部が連結用ネジの頭との間の摩擦力が大きくなるので、連結用ネジが緩みにくくなる。
【００１７】
リブによって接続部材を補強することができる。さらに、接続部材のリブ先端と目地部材とが点で当接することによって、面で当接する場合に比べて隙間腐食が発生するおそれを低減することができる。
【考案を実施するための最良の形態】
【００１８】
次に本考案の第一実施形態を図面に基づいて説明する。
図１は本考案の使用状態の第一実施形態を示す横断平面図であり、図２は装飾柱、図３は目地部材の第一実施形態を示す横断面図であり、建築の外壁面１に一対の目地部材２、２を介して装飾柱３を装着したものである。
【００１９】
装飾柱３は横断面が正四角形の角筒であり、アルミ成型により形成され、建物の外壁面に面し、目地部材２、２と当着する背面の両側部には、適宜間隔でネジ孔４が設けられている。
【００２０】
目地部材２は一対で使用され、横断面が正四角形の角筒に構成されている。
角筒の一辺は装飾柱３の横断面での背面にあたる一辺に比べ少なくとも２分の１を超えることない長さに規制され、一体成型される三周側面５Ａ、５Ｂ、５Ｃを形成する本体５と着脱可能な一側面６より成る。
前後面に定置する周側面５Ａ及び５Ｃには、装飾柱３又は外壁面１との取付用の透孔１１、１２が目地部材２の長軸方向に適宜間隔で設けられる。
【００２１】
一側面６の内側長尺縁には、二条の係止突片７Ａ、７Ｂが突設して設けられ、一方の係止突片７Ｂの先端に対向側へ引っ掛け突部８が形成してある。
この一側面６の二条の係止突片７Ａ、７Ｂに対応して、本体５の突合する周側面５Ａ、５Ｃの先端には、係止突片７Ａの肉厚より内側へ折曲し段部９を形成して、先端は前記係止突片７Ｂの引っ掛け突部８と掛止する引っ掛け突部１０が形成してある。
【００２２】
したがって、目地部材２の本体５の周側面５Ａ、５Ｃの先端へ、一側面６の二条の係止突片７Ａ、７Ｂ間を押し当てると、周側面５Ａ、５Ｃの先端部が一側面６の二条の係止突片７Ａ、７Ｂ間に挿入すると共に、各側面の引っ掛け突部８と引っ掛け突部１０同士が掛止して、角筒を構成するものとなる。
また、強めに一側面６を引き剥がせば掛止は解けて一側面６を本体５から外し、外面を開口することもできるのである。
【００２３】
そこで、本考案の使用方法は、先ず、選択した装飾柱３の背面の両側部に、一側面６を外した目地部材２の本体５を、開口した一側面が外側に向くように当て、この開口を利用して、周側面５Ａの透孔１１に取付用ネジ１３を挿入し、装飾柱３の背面に対応して形成されているネジ孔４に螺着して当着するものである。
対応して設けられる透孔１１とネジ孔４は装飾柱３の内空に形成される突設条と干渉しない位置に設けられ、取付用ネジ１３は短尺であるため奥まった位置に設定されても締結に支障は生じない。
【００２４】
次に、目地部材２、２を当着した装飾柱３を建物の外壁面１に取り付けるのであるが、取り付ける外壁面１の内部には建物の柱、間柱或いは取り付け用桟等が設置してあり、目地部材２の本体５の周側面５Ｃを外壁面１に当て、周側面５Ｃに形成してある透孔１２に取付用ネジ１４を挿入して外壁に螺入して固定し、固定後に一側面６を目地部材２の開口部へ押し当て装着して装飾柱を取り付ける。
【００２５】
取付用ネジ１４は長尺で強力なものが望まれるため、周側面５Ｃに形成する透孔１２の位置は、一側面６を取り外した開口部側に近い方が取り付け作業を容易に行うことができ、取付用ネジ１４は斜め方向に螺入して緩みを防止するのが好ましい。
また、装飾柱３や目地部材２の上下端面（各筒の長軸方向に対向する端面）には、必要により開口部を閉鎖する適宜キャップ等が装着されるものである。
【００２６】
また、目地部材２の装飾柱３への当着において、側面を面一にして行うことは条件とならないが、取付用ネジ１４操作の作業性や意匠的体裁、或いは側面を面一にしない場合に目地部材２により幅広の凹溝が形成されることによるゴミの付着を考慮すると、面一に構成するのが好ましいものとなる。
【００２７】
第一実施形態では、透孔１１、１２が同一断面にあるが、これに限定されず、目地部材２の長軸方向に離間した断面に夫々透孔１１、１２があってもよい。
【００２８】
次に、本考案の第二実施形態を図面に基づいて説明する。
図４は考案の使用状態の第二実施形態を示す横断平面図であり。図５、図６、図７の第二実施形態の取り付け工程を示す横断平面図であり、建築の外壁面１に一対の接続部材２５、２５及び一対の目地部材２、２を解して装飾柱３を装着したものである。
【００２９】
装飾柱３は、第一実施形態と同様に、横断面が正四角形の角筒であり、アルミ成型によって形成され接続部材２５、２５と当接する背面の両側部にはネジ孔４が形成されており、装飾柱３の長軸方向に適宜間隔で設けられている（図６参照）。また、後述する仮止め用ネジ２４、２４が貫通するための貫通孔も形成されている。貫通孔は装飾柱３の長軸方向に適宜間隔で設けられている。
【００３０】
貫通孔は、装飾柱の長軸方向に縦長の長孔となっており、仮止め用ネジ２４、２４をそれぞれ貫通孔に貫通させたまま、外壁面１に固定された目地部材２、２に対して、装飾柱３の取り付け位置を調整することができる。
【００３１】
仮止め用ネジ２４、２４をそれぞれ貫通孔に貫通させると、装飾柱３が仮止めネジ２４、２４の頭に引っかかった状態となり、後述する連結ネジ２３、２３の螺入作業が容易になる。なお、貫通孔は図４〜図７の横断面から角筒の長軸方向に離れている位置にあるため、図４〜図７には図示されない。
【００３２】
各接続部材２５は、横断面が略L字状の板材であり、一方の平板部２５Ａと他方の平板部２５Ｂとから構成されている。一方の平板部２５Ａは、装飾柱３の背面と目地部材２の装飾柱３の背面に対向する周側面５Ａとに挟まれた位置にある。
【００３３】
一方の平板部２５Ａには、前述の装飾柱３のネジ孔４と重合する位置に透孔２５Ｃが形成されており、接続部材２５の長軸方向に適宜間隔で設けられている。装飾柱取付用ネジ２１を接続部材２５の透孔２５Ｃを貫通し装飾柱３のネジ孔４に螺入させることによって、接続部材２５の一方の平板部２５Ａを装飾柱３の背面に螺着している。
【００３４】
他方の平板部２５Ｂは、目地部材２の外方となる周側面５Ｄの外側の位置にある。他方の平板部２５Ｂには、後述する目地部材２のネジ孔５Ｅと重合する位置に透孔２５Ｄが形成されており、接続部材２５の長軸方向に適宜間隔で設けられている。連結用ネジ２３を接続部材２５の透孔２５Ｄを貫通し目地部材２のネジ孔５Ｅに螺入させることによって、接続部材２５の他方の平板部２５Ｂを目地部材２の周側面５Ｄに螺着している。
【００３５】
他方の平板部２５Ｂの外側の面は、装飾柱３の側面３Ａと面一となっている。また、一方の平板部２５Ａの内側の面からは、目地部材２の周側面５Ａに向ってリブ２５Ｅ、２５Ｅが形成されている。
【００３６】
リブ２５Ｅ、２５Ｅの突出長さは、前述の装飾柱取付用ネジ２１の頭の厚さより長くなっている。リブ２５Ｅ、２５Ｅの先端が目地部材２の周側面５Ａに当接するようになっているので、一方の平板部２５Ａと目地部材２の周側面５Ａとの間に装飾柱取付用ネジ２１の頭を収容する空間を設けることができる。
【００３７】
また、他方の平板部２５Ｂの内側の面からは、目地部材２の外方となる周側面５Ｄに向ってリブ２５Ｆが形成されている。
リブ２５Ｆの先端が後述する目地部材２の外方となる周側面５Ｄに当接するようになっている。
連結用ネジ２３を用いて他方の平板部２５Ｂを目地部材２の外方となる周側面５Ｄに螺着すると、他方の平板部２５Ｂが弾性変形し他方の平板部２５Ｂが連結用ネジ２３の頭に向って付勢される。
他方の平板部２５Ｂと連結用ネジ２３の頭との間の摩擦力が大きくなるので、連結用ネジ２３が緩みにくくなるという効果がある。
【００３８】
また、接続部材２５にリブ２５Ｅ及びリブ２５Ｆが形成されていることによって、接続部材２５を補強することができる。さらに、接続部材２５のリブ２５Ｅ、２５Ｅ及びリブ２５Ｆの先端と目地部材２とが点で当接することによって、面で当接する場合に比べて隙間腐食が発生するおそれを低減することができる。
【００３９】
各目地部材２は、横断面が正四角形の角筒であり、角筒の一辺は装飾柱３の横断面での背面にあたる一辺に比べ少なくとも２分の１を超えることない長さに規制され、周側面５Ａ、５Ｂ、５Ｃ、５Ｄとから構成されている。
【００４０】
周側面５Ａには仮止め用ネジ２４が螺合するネジ孔と、目地部材２の内部から螺入するために装着壁面取付用ネジ２２を通す通孔とが形成されている。仮止め用ネジ２４は周側面５Ａから突出した状態で螺合している。周側面５Ｃには、装着壁面取付用ネジ２２が貫通する透孔が形成されている。
【００４１】
なお、周側面５Ａのネジ孔及び通孔並びに装着壁面取付用ネジ２２が貫通する透孔は図４〜図７の横断面から角筒の長軸方向に離れているため、図４〜図７には図示されない。周側面５Ｄには、連結用ネジ２３が螺入するネジ孔５Ｅが形成されている。
【００４２】
以下、第二実施形態の取り付け工程を図５〜図７を用いて説明する。
図５に示すように、目地部材２、２を装着壁面１に所定間隔を置いて位置決めし、装着壁面１の装着壁面取付用ネジ２２、２２を螺入させる位置に下穴を開けておく。
【００４３】
次いで、図６に示すように、目地部材２、２の内部から装着壁面取付用ネジ２２、２２を用いて装飾壁面１に夫々螺着する。また、接続部材２５、２５は、装飾柱取付用ネジ２１、２１を用いて装飾柱３の背面の両側部に夫々螺着する。
【００４４】
次いで、図７に示すように、装飾柱３と接続部材２５、２５が一体になった部材を、各接続部材２５の透孔２５Ｄと各目地部材２のネジ孔５Ｅとが重合するように配置する。それぞれの重合した接続部材の透孔２５Ｄと目地部材２のネジ孔５Ｅとに、連結用ネジ２３、２３を螺入させ、装飾柱３を取り付ける。装飾柱３、接続部材２５及び目地部材２の上下端面には、必要により開口部を閉鎖する適宜キャップ等が装着されるものである。
【００４５】
図面で説明した装飾柱や目地部材は一例であり、これ等の形態に限定されるものでない。装飾柱の大きさや断面形状は自由に設計することができるものであるが、背面の目地部材が当着される部分は平面を形成している必要がある。
【図面の簡単な説明】
【００４６】
【図１】本考案の使用状態の第一実施形態を示す横断平面図である。
【図２】装飾柱の一実施の形態を示す横断面図である。
【図３】目地部材の一実施の形態を示す横断面図である。
【図４】本考案の使用状態の第二実施形態を示す横断平面図である。
【図５】図４の第二実施形態の取り付け工程を示す横断平面図である。
【図６】図４の第二実施形態の取り付け工程を示す横断平面図である。
【図７】図４の第二実施形態の取り付け工程を示す横断平面図である。
【符号の説明】
【００４７】
１                      外壁面
２                      目地部材
３                      装飾柱
３Ａ                    側面
４                      ネジ孔
５                      目地部材の本体
５Ａ、５Ｂ、５Ｃ、５Ｄ  周側面
５Ｅ                    ネジ孔
６                      一側面
７Ａ、７Ｂ              係止突片
８、１０                引っ掛け突部
９                      段部
１１、１２              透孔
１３、１４              取付用ネジ
２１                    装飾柱取付用ネジ
２２                    装着壁面取付用ネジ
２３                    連結用ネジ
２４                    仮止め用ネジ
２５                    接続部材
２５Ａ                  一方の平板部
２５Ｂ                  他方の平板部
２５Ｃ、２５Ｄ          透孔
２５Ｅ、２５Ｆ          リブ
【図１】
0003141587.tif 000003
【図２】
0003141587.tif 000004
【図３】
0003141587.tif 000005
【図４】
0003141587.tif 000006
【図５】
0003141587.tif 000007
【図６】
0003141587.tif 000008
【図７】
0003141587.tif 000009